【手続補正書】
【提出日】令和1年8月21日(2019.8.21)
【手続補正１】
【補正対象書類名】明細書
【補正対象項目名】発明の名称
【補正方法】変更
【補正の内容】
【発明の名称】風速データを管理するための方法及びシステム
【手続補正２】
【補正対象書類名】特許請求の範囲
【補正対象項目名】全文
【補正方法】変更
【補正の内容】
【特許請求の範囲】
【請求項１】
１つ又は複数の風ステーションであって、各々の風ステーションは個々の風ステーション位置に配置され、
前記個々の風ステーション位置に配置され且つ前記個々の風ステーション位置における風速を示す風速信号を作り出す風速計、
前記個々の風ステーション位置に配置され、且つ前記風速信号を受信し前記風速信号に対応する風速データを作り出すために前記風速計に動作可能に接続されるステーション計算装置、
前記個々の風ステーション位置に配置され且つ前記風速データを記憶するために前記ステーション計算装置に動作可能に接続されるステーションメモリ、及び
前記個々の風ステーション位置に配置され且つ前記ステーション計算装置から風速データを受信するために前記ステーション計算装置に動作可能に接続され、外部通信ネットワークに風速データを伝送するために前記外部通信ネットワークに動作可能に接続されるステーション通信インタフェース
をそれぞれ含む、１つ又は複数の風ステーションと、
１つ又は複数のデータサーバをさらに含み、各々のデータサーバは個々のデータサーバ位置に配置され、
前記個々のデータサーバ位置に配置されるサーバ計算装置、
前記個々のデータサーバ位置に配置され、且つ前記１つ又は複数の風ステーションから個々の風速データを受信するために前記外部通信ネットワークに動作可能に接続され、前記受信される個々の風速データを前記サーバ計算装置に与えるために前記サーバ計算装置に動作可能に接続されるサーバ通信インタフェース、及び
前記個々のデータサーバ位置に配置され、且つ前記受信される個々の風速データを記憶するために前記サーバ計算装置に動作可能に接続されるサーバメモリ
をそれぞれ含む、１つ又は複数のデータサーバと
を含み、
前記１つ又は複数のデータサーバは、前記受信した記憶済みの個々の風速データを前記外部通信ネットワーク上の別の位置に伝送することができ、
１つ又は複数の認証サーバをさらに含み、各々の認証サーバは個々の認証サーバ位置に配置され且つ
前記個々の認証サーバ位置に配置される認証サーバ計算装置と、
前記個々の認証サーバ位置に配置される認証サーバ通信インタフェースであって、前記１つ又は複数のデータサーバから個々の風速データを受信するために前記外部通信ネットワークに動作可能に接続され、前記受信される個々の風速データを前記認証サーバ計算装置に与えるために前記認証サーバ計算装置に動作可能に接続される、認証サーバ通信インタフェースと
をそれぞれ含み、
前記１つ又は複数の認証サーバのそれぞれは個々のデータモデルを生成することができ、前記個々のデータモデルは
履歴的な暴風モデル、及び
風速損害モデル
の少なくとも１つを含み、
前記１つ又は複数の認証サーバのそれぞれは、前記受信される個々の風速データ及び前記生成される個々のデータモデルに基づいて個々の認証レポートを生成することができ、
前記１つ又は複数の認証サーバは、前記生成される個々の認証レポートを前記外部通信ネットワーク上の別の位置に伝送することができ、
１つ又は複数の支払サーバをさらに含み、各々の支払サーバは個々の支払サーバ位置に配置され且つ
前記個々の支払サーバ位置に配置される支払サーバ計算装置と、
前記個々の支払サーバ位置に配置される支払サーバ通信インタフェースであって、前記１つ又は複数の認証サーバから前記個々の認証レポートを受信するために、及び前記受信される個々の認証レポートを前記支払サーバ計算装置に与えるために前記外部通信ネットワークに動作可能に接続される、支払サーバ通信インタフェースと
をそれぞれ含み、
前記１つ又は複数の支払サーバのそれぞれは、受信される個々の認証レポートが関連する個々の契約の条件を満たすかどうかを判定することができる、
外部通信ネットワークを介して風速データを収集し管理するためのシステム。
【請求項２】
前記１つ又は複数の風ステーションが、所定期間にわたる複数の各々の風速計測定値を前記個々のステーションメモリ内に記憶するように、
前記所定期間にわたる前記複数、前記各々の風速計測定値を前記所定期間に関する個々の平均風速に変換するように、及び
前記所定期間に関する前記個々の平均風速を前記外部通信ネットワーク上で前記１つ又は複数のデータサーバに伝送するように更に適合される、
請求項１に記載の外部通信ネットワークを介して風速データを収集し管理するためのシステム。
【請求項３】
前記１つ又は複数の風ステーションが、所定期間にわたる複数の各々の風速計測定値を前記個々のステーションメモリ内に記憶するように、
前記所定期間にわたる前記複数、前記各々の風速計測定値を前記所定期間に関する個々の最大風速に変換するように、及び
前記所定期間に関する前記個々の最大風速を前記外部通信ネットワーク上で前記１つ又は複数のデータサーバに伝送するように更に適合される、
請求項１に記載の外部通信ネットワークを介して風速データを収集し管理するためのシステム。
【請求項４】
前記１つ又は複数の支払サーバのそれぞれは、前記受信される個々の認証レポートが前記関連する個々の契約の前記条件を満たすと判定すると、前記外部通信ネットワーク上で通信することによって前記関連する個々の契約に従って個々の支払を別の位置においてトリガする、請求項１に記載の外部通信ネットワークを介して風速データを収集し管理するためのシステム。
【請求項５】
１つ又は複数の地理的位置における風速を測定し、１つ又は複数の各々の地理的位置における個々の測定風速を示す個々の風速信号を作り出すステップであって、前記個々の風速信号は電気信号及び電子信号のうちの１つである、作り出すステップと、
前記個々の風速信号を１つ又は複数の各々の地理的位置における個々の風速データに変換するステップであって、前記個々の風速データはデジタルデータである、変換するステップと、
１つ又は複数の各々の地理的位置における前記個々の風速データを記憶するステップであって、前記個々の風速データはデジタルデータ形式で記憶される、記憶するステップと、
１つ又は複数の各々の地理的位置における前記個々の記憶済みの風速データをデジタルデータとして外部通信ネットワーク上に伝送するステップと、
前記１つ又は複数の個々の地理的位置に関する前記個々の風速データをデジタルデータとして前記外部通信ネットワークから１つ又は複数のデータサーバにおいて受信するステップと、
前記１つ又は複数の個々の地理的位置に関する前記受信される個々の風速データを前記１つ又は複数のデータサーバ上に記憶するステップと、
前記１つ又は複数の個々の地理的位置のそれぞれに関する前記１つ又は複数の個々の風速データを認証のために送信すべきかどうかを前記１つ又は複数のデータサーバにおいて判定するステップと、
前記１つ又は複数の個々の地理的位置に関する前記１つ又は複数の個々の風速データを認証のために送信すべきだと判定される場合、
前記１つ又は複数の個々の地理的位置に関する前記１つ又は複数の個々の風速データをデジタルデータとして外部通信ネットワーク上に伝送するステップと、
前記１つ又は複数の個々の地理的位置に関する前記個々の風速データをデジタルデータとして前記外部通信ネットワークから１つ又は複数の認証サーバにおいて受信するステップと
を含み、
前記１つ又は複数の個々の地理的位置に関する前記個々の風速データを前記外部通信ネットワークから前記１つ又は複数の認証サーバにおいて受信することに応答して
履歴的な暴風モデル、及び
風速損害モデル
の少なくとも１つを生成するステップと、
前記１つ又は複数の個々の地理的位置に関する前記個々の風速データ、並びに
前記生成される履歴的な暴風モデル及び風速損害モデルの少なくとも１つ
の両方に基づいて前記１つ又は複数の個々の地理的位置に関する認証レポートを生成するステップと、
前記１つ又は複数の個々の地理的位置に関する前記認証レポートをデジタルデータとして前記外部通信ネットワーク上に伝送するステップと
を更に含み、
前記１つ又は複数の個々の地理的位置に関する前記認証レポートを前記外部通信ネットワークから受信することに応答し、関連する契約の条件が満たされているかどうかを判定するステップと、
前記認証レポートを受信することに応答して前記関連する契約の条件が満たされていると判定される場合、前記外部通信ネットワーク上にデジタルデータを通信することによって前記関連する契約に従って支払をトリガするステップと
を更に含む、風速データを収集し管理するための方法。
【請求項６】
所定期間にわたる前記１つ又は複数の地理的位置のうちの特定の位置に関する複数の前記個々の風速データを記憶するステップと、
前記所定期間にわたる前記１つ又は複数の地理的位置のうちの前記特定の位置に関する前記複数の個々の記憶済みの風速データを、
前記１つ又は複数の地理的位置のうちの前記特定の位置における前記所定期間の平均風速、及び
前記１つ又は複数の地理的位置のうちの前記特定の位置における前記所定期間の最大風速
のうちの少なくとも１つに変換するステップと、
前記１つ又は複数の地理的位置のうちの前記特定の位置における前記所定期間について前記個々の平均風速又は最大風速が前記個々の平均風速又は最大風速に関する所定の閾値を上回るかどうかを判定するステップと、
前記個々の平均風速又は最大風速が前記個々の平均風速又は最大風速に関する所定の閾値を上回ると判定される場合、伝送するステップ、及び前記外部通信ネットワークを使用するユーザ装置へのデジタルデータとしての警告信号
を更に含む、請求項５に記載の風速データを収集し管理するための方法。